(57)【要約】【課題】本発明は通信技術領域に関わる指紋認証による図面管理システム及び方法が開示されている。【解決手段】前記システムは、指紋センサー装置と情報交換プラットホームを含み、その中に、前記指紋センサー装置は、第一端末のユーザーの第一指紋情報を抽出し、前記第一指紋情報に基づいて図面を暗号化し、前記情報交換プラットホームは、前記第一指紋情報を第二端末に送信することに用いて、前記第二端末が前記第一指紋情報に基づいて前記図面を解読して、解読された図面を得る。本発明はユーザーの図面のプライバシーを大きく向上させ、図面使用の安全性を高める。【選択図】図１
2015537483.tif 000002
【特許請求の範囲】
【請求項１】
指紋認証による図面管理システムであって、
第一端末のユーザーの第一指紋情報を抽出し、前記第一指紋情報に基づいて図面を暗号化する指紋センサー装置と、
前記第一指紋情報を第二端末に送信し、前記第二端末が前記第一指紋情報に基づいて前記図面を解読して、解読された図面を得る情報交換プラットホームと、
を含むことを特徴とする指紋認証による図面管理システム。
【請求項２】
前記第一端末のユーザーは、前記第二端末のユーザーを友達として追加する必要があるとき、
前記情報交換プラットホームは、前記第一指紋情報と前記第一端末から送信される友達追加請求メッセージとを前記第二端末に送信し、
前記第二端末のユーザーが確認してから、前記指紋センサー装置は、さらに第二端末のユーザーの第二指紋情報を抽出する、
ことを特徴とする請求項１に記載の指紋認証による図面管理システム。
【請求項３】
前記指紋センサー装置は、前記第一指紋情報に基づいて、複数の図面をバッチ又は単独で暗号化・暗号解読する、
ことを特徴とする請求項１に記載の指紋認証による図面管理システム。
【請求項４】
前記図面管理システムは、
前記第一端末がネットで複数の図面を送信し、且つ前記指紋センサー装置が前記複数の図面中の部分の図面を暗号化する場合、送信される複数の図面中暗号化されない図面を暗号化する即時監視プロセッサをさらに含み、
前記即時監視プロセッサの暗号解読鍵を前記情報交換プラットホームに送信する、
ことを特徴とする請求項１に記載の指紋認証による図面管理システム。
【請求項５】
前記指紋センサー装置は、
前記第一端末のユーザーの第一指紋情報を抽出する指紋センサーと、
前記指紋センサーにより抽出される前記第一指紋情報を保存する指紋メモリーと、
をさらに含むことを特徴とする請求項１から請求項４のいずれかに記載の指紋認証による図面管理システム。
【請求項６】
指紋認証による図面管理方法であって、
指紋センサー装置により、第一端末のユーザーの第一指紋情報を抽出して、前記第一指紋情報に基づいて図面を暗号化し、
情報交換プラットホームにより、前記第一指紋情報を第二端末に送信して、前記第二端末が前記第一指紋情報に基づいて前記図面を解読して、解読された図面を得る、
ことを特徴とする指紋認証による図面管理方法。
【請求項７】
前記第一端末のユーザーが前記第二端末のユーザーを友達として追加する必要があるとき、前記図面管理方法はさらに、
前記情報交換プラットホームにより、前記第一指紋情報と前記第一端末から送信される友達追加請求メッセージとを前記第二端末に送信し、
前記第二端末は確認してから、前記指紋センサー装置により前記第二端末のユーザーの第二指紋情報を抽出することによって、前記第一端末が前記第二指紋情報に基づいて前記第二端末のユーザーがアップロードする図面を取得する、
ことを特徴とする請求項１に記載の指紋認証による図面管理方法。
【請求項８】
前記指紋センサー装置により、前記第一指紋情報に基づいて、複数の図面をバッチ又は単独で暗号化することを更に含む、
ことを特徴とする請求項１に記載の指紋認証による図面管理方法。
【請求項９】
前記第一端末がネットで複数の図面を送信するとき、前記図面管理方法はさらに
前記指紋センサー装置により前記複数の図面中の部分の図面を暗号化する場合、即時監視プロセッサにより送信される複数の図面中暗号化されない図面を暗号化するステップと、
前記即時監視プロセッサは、前記即時監視プロセッサの暗号解読鍵を前記情報交換プラットホームに送信するステップと、
を含むことを特徴とする請求項１に記載の指紋認証による図面管理方法。
【請求項１０】
前記指紋センサー装置により前記第一端末のユーザーの前記第一指紋情報を抽出することは、
前記指紋センサーにより前記第一端末のユーザーの前記第一指紋情報を抽出するステップと、
前記指紋メモリーにより、抽出されたユーザーの前記指紋情報を保存するステップと、
を含むことを特徴とする請求項６から請求項９のいずれかに記載の指紋認証による図面管理方法。
【発明の詳細な説明】
【技術分野】
【０００１】
本発明は、通信技術分野に関し、特に指紋認証による図面管理システム及び図面管理方法に関する。
【背景技術】
【０００２】
ネットの幅広い応用により、人はますます自分の写真又は自分が好きな写真をネット上に保存することが好きになる。しかしながら、ネットの開放により、一部のプライベートな写真については、端末ユーザーが暗証番号を設定しなかったり、暗証番号が漏洩したりして、他人からダウンロードされ、且つ拡散されるおそれがある。これによって、ユーザーの合法的な利益が損なわれ、ユーザーのプライバシー及び安全性が巨大な脅威に直面している。
【発明の概要】
【発明が解決しようとする課題】
【０００３】
先行技術の問題を解決するために、本発明の実施例は指紋認証による図面管理システム及び図面管理方法を提供する。技術案は、具体的に下記を参照する。また、本発明は、指紋認証による図面管理システムを提供する。
【課題を解決するための手段】
【０００４】
指紋認証による図面管理システムは、前記第一端末のユーザーの第一指紋情報を抽出し、前記第一指紋情報に基づいて図面を暗号化する指紋センサー装置と、前記第一指紋情報を第二端末に送信し、前記第二端末が前記第一指紋情報に基づいて前記図面を解読して、解読された図面を得る情報交換プラットホームと、を含む。
【０００５】
また、指紋認証による図面管理方法は、指紋センサー装置により、第一端末のユーザーの第一指紋情報を抽出して、前記第一指紋情報に基づいて図面を暗号化し、情報交換プラットホームにより、前記第一指紋情報を第二端末に送信して、前記第二端末が前記第一指紋情報に基づいて前記図面を解読して、解読された図面を得る。
【発明の効果】
【０００６】
本発明の実施例が提供された技術案は、次の有益な効果を有する。指紋センサー装置による第一端末のユーザーの第一指紋情報に基づいて図面を暗号化し、情報交換プラットホームが第一指紋情報を第二端末に送信することで、ユーザーの指紋情報に基づいて図面に対する暗号化管理を実現できる。第一端末に認証されない如何なる端末ユーザーが、第一端末の暗号化されたいずれの図面も閲覧できないことにより、第一端末のユーザーの図面のプライバシーを確保でき、図面の安全性を向上させる。
【図面の簡単な説明】
【０００７】
【図１】本発明実施例１が提供した指紋認証による図面管理システムの構造図
【図２】本発明実施例２が提供した指紋認証による図面管理システムの構造図
【図３】本発明実施例３が提供した指紋認証による図面管理方法のフロー図
【図４】本発明実施例４が提供した指紋認証による図面管理方法のフロー図
【図５】本発明実施例５が提供した指紋認証による図面管理方法のフロー図
【発明を実施するための形態】
【０００８】
本発明の目的、技術案及び優れた点をより一層明確にするために、以下では、図面を参照して本発明の好ましい実施形態について詳しく記述する。
【０００９】
（実施例１）
図１は、本発明実施例１が提供する指紋認証による図面管理システムの構造図である。図１に示すように、本発明実施例における指紋認証による図面管理システム１００は、具体的には、指紋センサー装置１１、情報交換プラットホーム１２を含む。
【００１０】
その中に、指紋センサー装置１１は、第一端末１３のユーザーの第一指紋情報を抽出して、第一指紋情報に基づいて図面を暗号化する。情報交換プラットホーム１２は、第一指紋情報を第二端末１４に送信して、第二端末１４が第一指紋情報に基づいて図面を解読して、解読された図面を得る。
【００１１】
本発明の実施例が提供した指紋認証による図面管理システムは、指紋センサー装置１１により第一端末１３のユーザーの第一指紋情報に基づいて図面を暗号化し、情報交換プラットホーム１２が第一指紋情報を第二端末１４に送信することで、ユーザーの指紋情報に基づいて図面に対する暗号化管理を実現できる。第一端末１３に認証されない如何なる端末ユーザーが、第一端末13の暗号化されたいずれの図面も閲覧できないことにより、第一端末１３のユーザーの図面のプライバシーを確保でき、図面の安全性を向上させる。
【００１２】
（実施例２）
図２は、本発明実施例２が提供する指紋認証による図面管理システムの構造図である。図２に示すように、本発明実施例における指紋認証による図面管理システム２００は、具体的には、指紋センサー装置２１、情報交換プラットホーム２２、即時監視プロセッサ２５を含む。
【００１３】
その中に、指紋センサー装置２１は、第一端末２３のユーザーの第一指紋情報を抽出して、第一指紋情報に基づいて図面を暗号化する。情報交換プラットホーム２２は、第一指紋情報を第二端末２４に送信して、第二端末２４が第一指紋情報に基づいて図面を解読して、解読された図面を得る。第一端末２３がネットで複数の図面を送信し、且つ指紋センサー装置２１が複数の図面中の部分の図面を暗号化する場合、即時監視プロセッサ２５が送信される複数の図面中暗号化されない図面を暗号化し、即時監視プロセッサ２５の暗号解読鍵を情報交換プラットホーム２２に送信する。
【００１４】
さらに、第一端末２３のユーザーが第二端末２４のユーザーを友達として追加する必要があるとき、情報交換プラットホーム２２が第一指紋情報と第一端末２３から送信される友達追加請求メッセージを第二端末２４に送信する。第二端末２４のユーザーが確認してから、指紋センサー装置２１が第二端末２４のユーザーの第二指紋情報を抽出する。
【００１５】
さらに、指紋センサー装置２１は、また第一指紋情報に基づいて、複数の図面をバッチ又は単独で暗号化又は解読することができる。
【００１６】
さらに、指紋センサー装置２１は、指紋センサー２１１、指紋メモリー２１２を含んでよい。その中に、指紋センサー２１１は、第一端末のユーザーの第一指紋情報を抽出する。指紋メモリー２１２は、指紋センサー２１１により抽出された第一指紋情報を保存する。
【００１７】
本発明の実施例が提供する指紋認証による図面管理システムは、指紋センサー装置２１による第一端末２３のユーザーの第一指紋情報に基づいて図面を暗号化し、情報交換プラットホーム２２が第一指紋情報を第二端末２４に送信することで、ユーザーの指紋情報に基づいて図面に対する暗号化管理を実現できる。第一端末２３に認証されない如何なる端末ユーザーが、第一端末２３の暗号化されたいずれの図面も閲覧できないことにより、第一端末２３のユーザーの図面のプライバシーを確保でき、図面の安全性を向上させる。
【００１８】
（実施例３）
図３は、本発明実施例３が提供する指紋認証による図面管理方法のフロー図であり、本発明実施例は、図１及び図２に示された指紋認証による図面管理システムで実現できる。図３を参照するに、本発明実施例はステップ３０１とステップ３０２を含む。
【００１９】
ステップ３０１において、指紋センサー装置により第一端末のユーザーの第一指紋情報を抽出して、第一指紋情報に基づいて図面を暗号化する。
【００２０】
ステップ３０２において、情報交換プラットホームにより第一指紋情報を第二端末に送信して、第二端末が第一指紋情報に基づいて図面を解読して、解読された図面を得る。
【００２１】
本発明の実施例が提供する指紋認証による図面管理方法は、指紋センサー装置による第一端末のユーザーの第一指紋情報に基づいて図面を暗号化し、情報交換プラットホームが第一指紋情報を第二端末に送信することで、ユーザーの指紋情報に基いて図面に対する暗号化管理を実現できる。第一端末に認証されない如何なる端末ユーザーが、第一端末の暗号化されたいずれの図面も閲覧できないことにより、第一端末のユーザーの図面のプライバシーを確保でき、図面の安全性を向上させる。
【００２２】
（実施例４）
図４は、本発明実施例４が提供する指紋認証による図面管理方法のフロー図であり、本発明実施例は図１及び図２に示された指紋認証による図面管理システムで実現できる。図４を参照するに、第一端末のユーザーが第二端末のユーザーを友達として追加する必要があるとき、本発明実施例はステップ４０１〜４０４を含む。
【００２３】
ステップ４０１において、指紋センサー装置により第一端末のユーザーの第一指紋情報を抽出して、第一指紋情報に基づいて図面を暗号化する。
【００２４】
ステップ４０１の中に、本発明実施例の図面は具体的に第一端末のユーザーが関連アプリケーションを使用するときのユーザーアカウントの画像又は他のアップロードの必要がある図面であってもよい。
【００２５】
ステップ４０２において、情報交換プラットホームにより、第一指紋情報と第一端末から送信される友達追加請求メッセージとを第二端末に送信する。
【００２６】
ステップ４０３において、第二端末は確認してから、指紋センサー装置により第二端末のユーザーの第二指紋情報を抽出し、該第二指紋情報を第一端末に送信する。
【００２７】
ステップ４０４において、第一端末が第二端末のユーザーの第二指紋情報に基づいて、第二端末のユーザーがアップロードした図面にアクセスする。
【００２８】
ステップ４０１〜ステップ４０４を通じて、第一端末のユーザーと第二端末のユーザーが友人追加でき、且つ両側それぞれの暗号鍵を交換することに成功する。
【００２９】
本発明の実施例が提供する指紋認証による図面管理方法は、指紋センサー装置による第一端末のユーザーの第一指紋情報に基づいて図面を暗号化し、情報交換プラットホームが第一指紋情報を第二端末に送信することで、ユーザーの指紋情報に基づいて図面に対する暗号化管理を実現できる。第一端末に認証されない如何なる端末ユーザーが、第一端末の暗号化されたいずれの図面も閲覧できないことにより、第一端末のユーザーの図面のプライバシーを確保でき、図面の安全性を向上させる。
【００３０】
（実施例５）
図５は、本発明実施例５が提供する指紋認証による図面管理方法のフロー図であり、本発明実施例は図１及び図２に示された指紋認証による図面管理システムで実現できる。図５を参照するに、本発明実施例が第一端末のユーザーと第二端末のユーザーが既に友人になったが、まだ暗号鍵を交換しない場合を例として、例示的な説明を行う。本発明実施例はステップ５０１〜５０７を含む。
【００３１】
ステップ５０１において、指紋センサー装置により第一端末のユーザーの第一指紋情報を抽出して、第一指紋情報に基づいて、複数の図面を部分的に暗号化する。
【００３２】
ステップ５０１の中に、本発明実施例の図面は具体的に第一端末のユーザーが関連アプリケーションを使用するときのユーザーアカウントの画像又は他のアップロード必要がある図面であってよい。
【００３３】
ステップ５０２において、ネットで複数の図面を送信中、即時監視プロセッサにより、送信される複数の図面中暗号化されない図面を暗号化する。
【００３４】
ステップ５０３において、即時監視プロセッサは、即時監視プロセッサの暗号解読鍵を情報交換プラットホームに送信する。
【００３５】
ステップ５０４において、情報交換プラットホームにより、第一指紋情報、即時監視プロセッサの暗号解読鍵を第二端末に送信する。
【００３６】
ステップ５０５において、第二端末は第一指紋情報、即時監視プロセッサの暗号解読鍵を受信してから、第二端末が第一指紋情報、即時監視プロセッサの暗号解読鍵に基づいて第一端末によるアップロードされた複数の図面を解読する。
【００３７】
ステップ５０６において、指紋センサー装置により第二端末のユーザーの第二指紋情報を抽出して、該第二指紋情報を第一端末に送信する。
【００３８】
ステップ５０７において、第一端末は第二端末のユーザーの第二指紋情報に基づいて、第二端末のユーザーがアップロードした図面にアクセスする。
【００３９】
当業者として下記のことを良く理解できる。第一端末と第二端末は具体的に携帯電話、タブレットパソコンであってよい。且つ、具体的な応用中、第一端末と第二端末は名称上の区分にすぎず、第一端末と第二端末が同一タイプの移動設備でも、異なるタイプの移動設備でもよいし、端末のユーザーが対応するアプリケーションサービス（該アプリケーションサービスは、例えばWEIBO、WEIXINなど）によるコミュニケーションできればよい。
【００４０】
本発明の実施例が提供した指紋認証による図面管理方法は、ネットで複数の図面を送信中、即時監視プロセッサにより、送信される複数の図面中暗号化されない図面を暗号化することで、写真がネット上を伝送する時の安全性を向上させる。ユーザーは図面が無断使用された後、自分に不利な影響を及ぼすことを心配する必要はない。また、部分図面を暗号化することで、ユーザーが自己の意思により自分の図面（例えば、写真）を他人に表示できるため、ユーザーのプライバシー及び安全性を向上させる。
【００４１】
さらに、上記実施例３乃至実施例５には、第一端末のユーザーはさらにネット上（ネットサーバー）又は第一端末に保存される図面をバッチ又は単独で暗号化し、且つ第三者に送信することができる。
【００４２】
さらに、説明する必要なのは、上記実施例１乃至実施例５に記載の情報交換プラットホームは、主に端末の間に指紋情報の交換を行い、暗号鍵交換の目的を達成できるような一台のメインプロセッサ設備でもいいし、一台のネットサーバーでもいい。また、アプリケーションは、具体的に各種の即時チャットアプリケーションでもいいし、各種の非即時チャットアプリケーションであるが、各種のタイプの図面を保存できる他のプリケーションでもいい。また、図面は、ユーザーアカウントの画像、又はネット上保存された図面、さらにユーザーが本体に保存し、且つ如何なる第三者に送信できる図面でもよい。本発明実施例はこれらについて制限的な規定をしない。
【００４３】
以上をまとめ、本発明実施例は指紋情報を用いて図面を暗号化することにより、ユーザーが図面処理に対する各種のニーズを満足でき、図面をネットに保存する際の安全性を向上させ、且つユーザーが図面を無断使用された後、自分に不利な影響を及ぼすことを心配する必要はない。それ以外、ユーザーも自己の意思により自分の写真を許可された他のユーザーに表示でき、安全性を向上させるとともにプライバシーも向上し、ある程度の面白さもある。
【００４４】
説明する必要なのは、上述した実施例では、上記各機能モジュールの区分として列挙説明をしたことに過ぎない。実際の応用中、需要に応じて、上述した機能を異なる機能モジュールで完成させ、即ちシステム内部の構造を異なる機能モジュールで区分することにより、上述された全部又は部分の機能を完成することができる。また、上述した実施例が提供した指紋認証による図面管理システム及び指紋認証による図面管理方法の実施例は同一の構想に属し、その具体的な実現過程について方法実施例を参照して、ここでは一々述べないことにする。
【００４５】
上記された本発明の実施例の番号は記述するためだけであり、実施例の優劣を代表するものではない。
【００４６】
当業者として下記のことを良く理解できる。上記された実施例の全部又は部分のステップはハードウェアより、或いはプログラムより関連ハードウェアを指令することで完成できる。プログラムは、コンピューターの可読記憶媒体の中に保存できる。記憶媒体はＲＯＭ、磁気ディスク或いは光ディスク等である。
【００４７】
上記されたのは本発明のよりいい実施例だが、本発明を限定するものではない。本発明の主旨及び原則の中に、如何なる訂正、同等取替え、改善等、全部本発明の保護範囲に含まれる。
【図１】
2015537483.tif 000003
【図２】
2015537483.tif 000004
【図３】
2015537483.tif 000005
【図４】
2015537483.tif 000006
【図５】
2015537483.tif 000007
【国際調査報告】
2015537483.tif 000008
2015537483.tif 000009
2015537483.tif 000010
2015537483.tif 000011